(57)【要約】【課題】  付属吸込み具を吸引系に対して、間接的に切り替え可能に連結し、付属吸込み具の吸引系に対する取付け機能と、付属吸込み具の使用位置と収納位置との切り替え機能とを構造的に分離した電気掃除機用付属吸込み具を提供する。【解決手段】  電気掃除機用付属吸込み具１は、操作部３０の吸込み端部３５への嵌着を担うアダプタ２と、吸込体３の吸込み口３６内に嵌入・取り外し可能な吸込体３と、吸込体３の吸込み口３６への装着状態と吸込み口３６から外れた収納状態との間での切替えを担う連結部４から構成されている。両機能はそれを担う構造として互いに分離されているので、異なる付属吸込み具との取替えも含めて、付属吸込み具１の吸込み端部３５への装着とその取外しを簡単に行うことができる。吸込体３の両状態間での切替えは、アダプタ２が吸込み端部３５に嵌着されている状態で、連結部４の作動によって行うことができる。【選択図】      図４
2006167342.tif 000002
【特許請求の範囲】
【請求項１】
電気掃除機の吸込み空気が流れる吸引系の吸込み端部に取外し可能に嵌着されるアダプタ、及び前記アダプタに前記吸込み口内に嵌入される装着状態と前記吸込み口から外れて収納される収納状態との間で切り替え可能に連結する連結部を介して取り付けられた吸込体から成る電気掃除機用付属吸込み具。
【請求項２】
前記アダプタは、前記吸込み端部の外周部に嵌着可能な筒体であることから成る請求項１に記載の電気掃除機用付属吸込み具。
【請求項３】
前記吸込体は、吸込み先端部側が絞られている隙間ノズルであることから成る請求項１又は２に記載の電気掃除機用付属吸込み具。
【請求項４】
前記吸込み先端部に、前記吸込み開口の周囲を囲む装着位置と前記吸込み開口の周囲を囲む位置から外れた非装着位置との間で回動可能に取り付けられた植毛体を備えていることから成る請求項３に記載の電気掃除機用付属吸込み具。
【請求項５】
前記吸込体は、吸込み先端に形成される吸込み開口の周りに植毛が施されているソフトブラシであることから成る請求項１又は２に記載の電気掃除機用付属吸込み具。
【請求項６】
前記連結部は、前記アダプタと前記吸込体のいずれか一方に設けられたピン、及び前記アダプタと前記吸込体の残る他方に設けられており且つ前記吸込体の前記吸込み口内への嵌入・取外し方向に延びて前記ピンがスライド可能に嵌入するガイド通路が形成されているガイド部を備えていることから成る請求項１〜５のいずれか１項に記載の電気掃除機用付属吸込み具。
【請求項７】
前記電気掃除機の吸込みホースに取り付けられた操作部の先端部分に形成されている操作部吸込み端部を前記吸込み端部として適用されることから成る請求項１〜６のいずれか１項に記載の電気掃除機用付属吸込み具。
【請求項８】
前記電気掃除機の吸込みホースに取り付け可能な延長管の先端部分に形成されている延長管吸込み端部を前記吸込み端部として適用されることから成る請求項１〜７のいずれか１項に記載の電気掃除機用付属吸込み具。
【発明の詳細な説明】
【技術分野】
【０００１】
この発明は、電動送風機が収容される掃除機本体と吸込み口を持つ吸込み具とを吸引ホースや延長管等の吸引系を通じて接続した電気掃除機に用いられ、特に、床ブラシのような専用の吸込み具と交換可能な付属部品（例えばソフトブラシや隙間用吸込体）として設けられており、その不使用時に吸引系の近傍に保持可能な電気掃除機用付属吸込み具に関する。
【背景技術】
【０００２】
従来、電気掃除機の吸込み具としては、通常、床ブラシと称されており絨毯やフローリング等の床面上の塵埃を吸い込み除去する吸込み具、隙間ノズル等と称されており窓枠や障子枠等の溝又は家具同士或いは家具と壁との間の隙間に存在する塵埃を吸い込むために用いられる吸込み具、障子や窓の桟又は棚上や家具等の上の塵埃を除去する吸込開口の周縁部にブラシ毛を設けたブラシ付き吸込み具がある。これら吸込み具のうち、床ブラシは、通常、吸込ホースの先端側に接続された握り部、即ち、手で握って操作する操作部の先端に開口した嵌合口に接続される延長管に接続して用いられ、また、隙間ノズル又はブラシ付き吸込具は、通常、延長管を介して或いは直接、操作部の嵌合口に接続して用いられる。
【０００３】
掃除において最も使用頻度の高い吸込み具は床ブラシであり、他の隙間ノズルあるいはブラシ付き吸込み具の使用頻度は比較的低いことから、これら吸込み具は付属用吸込み具として位置付けられている。
【０００４】
これらの付属用吸込み具については、使用しない場合は所定の収納場所に収納しておかなければならず、一方、掃除中に使用しようとする場合にすぐに取り出すことができるようにすることが望ましい。収納場所については、掃除機から離れた収納場所とすると、家庭でいえば家族の全員にその場所を周知させなければならない。また、付属用吸込み具を取りに行くこと、及び行方が不明となり勝ちであるので掃除後には必ず元の場所に戻さなければならないなど、ユーザに面倒であるイメージを抱かせ易い。
【０００５】
そこで、このような事情を考慮して、掃除機本体に収納部を設け、不使用時には付属用吸込み具を収納部に収納するようにしたもの、あるいは操作部に保持手段を設けこの保持部に付属用吸込未具を保持して収納するようにしたものが提案されている。
【０００６】
操作部に設けた保持部に付属用吸込み具を保持・収納する電気掃除機の一例として、付属用吸込み具を、操作部に設けられた軸の回りにおいて、吸込みホースに繋がる使用位置と吸込みホースから取り外されて操作部に係止される収納位置との間で回動可能として、操作部への接続作業性、収納保持の容易化等の利便性の改善を図った電気掃除機が提案されている（特許文献１）。この電気掃除機によれば、一端を掃除機本体に接続された吸込ホースに他端に設けられた操作部の嵌合部の近傍には、凸軸と係止部とが設けられている。一方、隙間ノズル（付属用吸込具）の基端側に設けられ嵌合部と所定の嵌合代で嵌合する被嵌合部の近傍には、上記凸軸に嵌合し、その長さが上記嵌合代よりも長いガイド孔を設けられている。隙間ノズルの先端側には、操作部の係止部と係脱する係合部を設けられているので、隙間ノズルの被嵌合部を操作部の嵌合部から外し、凸軸を支点として隙間ノズルを回動し、係合部を係止部に係合させることで、隙間ノズルは収納保持される。逆に、凸軸を支点として隙間ノズルを回動させ被嵌合部を嵌合部に対応させた後、凸軸をガイド孔に沿って摺動し被嵌合部を嵌合部に嵌合させて使用状態となる。
【０００７】
また、外部からの衝撃による付属部品の落下を確実に防止して、付属部品を安定して、かつ、確実に保持する電気掃除機が提案されている（特許文献２）。この提案によれば、掃除機本体と吸込口体とを接続する接続ホースに、把手部と、吸込口体と交換可能な付属部品（ソフトブラシ・隙間用吸込体）を保持する付属部品保持部とが設けられる。付属部品保持部は、付属部品の内面を接続ホース側に押圧する押圧部と、押圧部を接続ホースに対して支持する支持部とを有している。押圧部は、支持部による支持位置から接続ホースの中心軸方向で吸込口体側に延びる第１押圧部と、中心軸方向反対側に延びる第２押圧部とで構成されており、接続ホース外面には、第１押圧部によって押圧される付属部品を係止する係止部が設けられている。
【０００８】
【特許文献１】特開２０００−７０１８７号公報（段落［００６４］〜［００７２］、図９〜図１１）
【特許文献２】特開２００４−２６７３８７号公報（段落［００３７］〜［００４１］、図１）
【０００９】
しかしながら、吸込みホースに繋がる使用位置と吸込みホースから取り外されて操作部に係止される収納位置との間で回動可能とした付属用吸込み具においては、当該付属用吸込み具については接続作業性や利便性の改善が図られているが、補助用として用いる付属用吸込み具の種類は、ユーザや使用状況によっては一定せず、むしろ掃除環境に応じて用いる付属用吸込み具の種類は変わるのが通常である。異なる付属用吸込み具を用いる場合には、回動可能に連結した構造を一旦取り外す必要がある。また、付属用吸込み具が掃除機の吸込み端部に取付け可能ではあっても吸引系から分離してしまう構造を持つ場合には、使用と収納毎に吸込み端部と収納部とに取付け・取外しを行う必要がある。こうした取付け取り外しの操作は煩雑であり、操作性・利便性の点で一層の改善が求められている。  
【００１０】
掃除機、特に電気掃除機において、隙間ノズル等の付属吸込み具が吸引ホースや吸引管等の吸引系に対して使用位置と収納位置とで切り替え可能となる態様で、当該付属吸込み具を適用するに際して、付属吸込み具を吸引系に対して直接に切り替え可能に連結すると、異なる種類の付属吸込み具を適用する場合に上記のように回動可能に連結した構造を一旦取り外す作業が必要となり、このことが使用の際の利便性を損なう原因になっている。
【発明の開示】
【発明が解決しようとする課題】
【００１１】
そこで、付属吸込み具を吸引系に対して、間接的に切り替え可能に連結し、付属吸込み具の吸引系に対する取付け機能と、付属吸込み具の使用位置と収納位置との切り替え機能とを分離する点で解決すべき課題がある。その際、付属吸込み具の吸引系に対する保持構造を簡素化して取替えをワンタッチ操作で可能にする、付属吸込み具の吸引系の吸込み端部に対する差込み・取外しの操作性・利便性をも向上することが望まれる。
【課題を解決するための手段】
【００１２】
この発明の目的は、付属吸込み具を吸引系に対して、付属吸込み具の吸引系に対する取付け機能と付属吸込み具の装着状態と収納状態との切替え機能とを分離することで、種類の異なる付属吸込み具についても吸引系に対する取付け・取り外しについて操作性・利便性を高めた電気掃除機用付属吸込み具を提供することである。また、合わせて、付属吸込み具の不使用時には吸引系の吸込み端部の近傍に収納し、付属吸込み具の使用時には収納状態から直ちに且つ簡単な操作で吸込み端部に対する装着を可能にする電気掃除機用付属吸込み具を提供することである。
【００１３】
上記の課題を解決するため、この発明による電気掃除機用付属吸込み具は、電気掃除機の吸込み空気が流れる吸引系の吸込み端部に取外し可能に嵌着されるアダプタ、及び前記アダプタに前記吸込み口内に嵌入される装着状態と前記吸込み口から外れて収納される収納状態との間で切り替え可能に連結する連結部を介して取り付けられた吸込体から成っている。
【００１４】
この電気掃除機用付属吸込み具によれば、吸引系の吸込み端部に嵌着されるアダプタと、当該アダプタに連結部を介して取り付けられた吸込体とから構成されているため、付属吸込み具の吸引系への取付けはアダプタが担い、吸込体の吸込み口内に嵌入される装着状態と吸込み口から外れた収納状態との間での切替えは、アダプタと吸込体との間に配設される連結部が担っている。このように両機能が互いに分離されているので、付属吸込み具の吸込み端部への装着とその取外しは、単にアダプタの吸込み端部への嵌着又はその嵌着の取り外しをすることで簡単に行うことができる。異なる付属吸込み具と取り替える場合も同様である。また、吸込体の吸込み口内への装着状態と吸込み口から外れた収納状態との間での切替えは、アダプタが吸込み端部に嵌着されている状態で、連結部の作動によって行うことができる。
【００１５】
この電気掃除機用付属吸込み具において、アダプタは、吸込み端部の外周部に嵌着可能な筒体とすることができる。アダプタを筒体とすることによって、アダプタは吸込み端部の外周部に容易に嵌着可能となる。
【００１６】
上記の電気掃除機用付属吸込み具において、吸込体は、吸込み先端部側が絞られている隙間ノズルとすることができる。窓枠や敷居、家具間の隙間等の狭いところに存在する塵埃を吸い込むには、吸込み先端に形成される吸込み開口を絞ることで、吸込み流れを速くした隙間ノズルが便利である。
【００１７】
吸込体を隙間ノズルとした電気掃除機用付属吸込み具において、吸込み先端部に、吸込み開口の周囲を囲む装着位置と吸込み開口の周囲を囲む位置から外れた非装着位置との間で回動可能に取り付けられた植毛体を備えることができる。隙間ノズルは通常、硬質樹脂製であり、先端が細くなっているとはいえ細かな清掃作業ができない場合がある。隙間ノズルの吸込み先端部に装着位置と非装着位置との間で回動可能に取り付けられた植毛体を備えることで、植毛体を装着位置とすることにより、隙間ノズルはブラシ付き隙間ノズルとして用いることができ、細かな清掃作業に適したノズルが得られる。また、植毛体を非装着位置とすることにより、付属吸込み具は通常の隙間ノズルとして用いることができる。
【００１８】
上記の電気掃除機用付属吸込み具において、吸込体は、吸込み先端に形成される吸込み開口の周りに植毛が施されているソフトブラシとすることができる。清掃する場所が紙や布等の非常に柔らかで、破損の虞等がある場合には、吸込み開口の周りに植毛が施されているソフトブラシを用いることが有効である。
【００１９】
上記の電気掃除機用付属吸込み具において、連結部は、アダプタと吸込体のいずれか一方に設けられたピン、及びアダプタと吸込体の残る他方に設けられており且つ吸込体の吸込み口内への装着・取外し方向に延びてピンがスライド可能に嵌入するガイド通路が形成されているガイド部を備えたものとすることができる。連結部を、ピンと、当該ピンがスライド可能に嵌入するガイド通路が形成されているガイド部とで構成することにより、アダプタを吸引系の吸込み端部に嵌着した状態でピンをガイド通路に沿って移動させると、ピンの移動方向に応じて吸込体を吸込み口内に嵌入させること、又は吸込体を吸込み口内から引き出すことができる。
【００２０】
上記の電気掃除機用付属吸込み具において、電気掃除機の吸込みホースに取り付けられた操作部の先端部分に形成されている操作部吸込み端部を吸込み端部として適用することができる。この付属吸込み具は、電気掃除機の吸込みホースに取り付けられた操作部の先端部分に形成されている操作部吸込み端部に適用することができる。付属吸込み具は、ユーザが操作する操作部の近くに適用されるので、細かな清掃作業に用いることができる。
【００２１】
上記の電気掃除機用付属吸込み具において、電気掃除機の吸込みホースに取り付け可能な延長管の先端部分に形成されている延長管吸込み端部を吸込み端部として適用することができる。この付属吸込み具は、電気掃除機の吸込みホースに取り付け可能な延長管の先端部分に適用されるので、ユーザから見て高所、或いは狭い隙間を通しての奥所等、手の届き難い場所の清掃作業に用いることができる。
【発明の効果】
【００２２】
この発明による電気掃除機用付属吸込み具は、上記のように構成されているので、付属吸込み具の吸引系に対する取付け機能と付属吸込み具の装着状態と収納状態との切替え機能とが分離されており、付属吸込み具を吸引系に対して取り付けること又は取り外すことについて、吸込み端部へのアダプタの取付け又は取外しが求められるのみである。また、種類の異なる付属吸込み具の取替えの場合も同様である。したがって、操作性・利便性が高い電気掃除機用付属吸込み具を得ることができる。また、この電気掃除機用付属吸込み具によれば、アダプタを吸込み端部へ嵌着したままで、付属吸込み具の不使用時には吸引系の吸込み端部の近傍に収納し、付属吸込み具の使用時には収納状態から直ちに且つ簡単な操作で吸込み端部に対して装着することができる。
【発明を実施するための最良の形態】
【００２３】
以下、添付した図面に基づいて、この発明による電気掃除機用付属吸込み具の実施例を説明する。図１はこの発明による電気掃除機用付属吸込み具の一実施例を示す図であって、（ａ）はその側面図、（ｂ）はその斜視図である。図２は図１に示す電気掃除機用付属吸込み具の植毛体の非使用状態を示す図であって、（ａ）は側面図、（ｂ）はその斜視図である。また、図３は、図１に示す電気掃除機用付属吸込み具の吸込み体の収納状態を示す図であり、（ａ）は側面図、（ｂ）はその斜視図である。
【００２４】
図１〜図３に示すように、電気掃除機用付属吸込み具１は、後述するように、電気掃除機の吸込み空気が流れる吸引系に取り付けられる付属吸込み具であり、当該吸引系の吸込み端部に取外し可能に嵌着されるアダプタ２と、アダプタ２に対して連結部４を介して取り付けられた吸込体３とを備えている。アダプタ２は、吸込み端部の外周部に嵌着可能なように両端が開口しており、長さが短く且つ肉厚の薄い筒体である。アダプタ２は、吸引系の吸込み口を形成している吸込み端部の外形に概略倣った内周面を有している。アダプタ２を筒体とすることによって、図４及び図５を参照して後述するように、アダプタ２は吸込み端部の外周部に嵌着したときの嵩張りを可及的に少なくすることができる。アダプタ２が吸込み端部から通常の使用状態で簡単には外れなくするため、或いはユーザにアダプタ３が吸込み端部に正しく嵌着完了したことを確認させるためにも、アダプタ２が吸込み端部に対してクリック感を伴って嵌着することが好ましい。なお、アダプタ２について連結部４が配置される側とは反対側の天板部には、後述する延長管の接続時に用いる押しボタンへのアクセスを許容するボタン孔５が開口している。
【００２５】
この実施例では、吸込体３は、吸引系の吸込み端部内に嵌入される概略円筒体から成る基端部６と、基端部６から連続して先端側に延び、この例では断面形状が円筒から矩形に滑らかに絞られている細筒部７とを備えた隙間ノズルである。細筒部７の先端側に形成された吸込み先端部８には、概略斜めに開口する吸込み開口９が開いている。隙間ノズルは、基端部６と比較して細筒部７の断面が絞られていることで、吸込み先端部８に形成される吸込み開口９からの吸込み流れを速くしており、窓枠や敷居、家具間の隙間等の狭いところに存在する塵埃を吸い込むには便利である。
【００２６】
電気掃除機用付属吸込み具１において、連結部４は、アダプタ２に嵌着された吸引系の吸込み口内に吸込体３を嵌入させた装着状態（図１及び図２に示す状態）と、吸込み口から外れた吸込体３を収納する収納状態（図３に示す状態）との間で切り替え可能に連結する構造を備えている。即ち、連結部４は、アダプタ２に設けられたピン１０と、吸込体３に設けられているガイド部１１とを備えている。ガイド部１１には、吸込体３の吸込み口内への嵌入・取外し方向に延びてピン１０がスライド可能に嵌入するガイド通路１２が形成されている。このようなピン１０とガイド部１１とを持つ連結部４により、アダプタ２を吸引系の吸込み端部に嵌着した状態で、吸込体３を吸込み口にその外側で臨ませた状態から吸込み口内に嵌入させるときには、ピン１０がガイド通路１２に沿って相対的に移動して、吸込体３の上記嵌入動作が許容される。また、吸込体３が吸込み口に嵌入している場合に、吸込体３を吸込み口から取り外すときには、ピン１０はガイド通路１２に沿って逆方向に移動することになる。ガイド通路１２の一端は拡大部分１３となっており、図３（ａ）に示すように、アダプタ２に形成された突起１４が拡大部分１３に係合可能である。ピン１０とガイド通路１２とだけでは吸込体３は位置は定まらないが突起１４が拡大部分１３に係合することで、吸込体３はピン１０と突起１４とでアダプタ２に保持され、吸込体３を収納状態に保持することができる。なお、この実施例では、ピン１０をアダプタ２に設けガイド通路１２を吸込体３側に形成したが、逆の配置であっても構わない。
【００２７】
電気掃除機用付属吸込み具１において、吸込体３の吸込み先端部８には、吸込み開口９の周囲を囲むことができる植毛体１５が備わっている。植毛体１５は、吸込み先端部８に軸１８によって回動可能に支持された回動本体１６と、回動本体１６の端部に一体成形され植毛１９が施されたＵ字枠体１７とを備えている。植毛体１５は、軸１８の周りに回動することによって、Ｕ字枠体１７が吸込み開口９に整合した図１に示す装着位置と、吸込み開口９の周囲を囲む位置から外れた図２（及び図３）に示す非装着位置との間で切り替え可能である。隙間ノズルとして適用された付属吸込み具１の吸込体３は、通常、硬質樹脂製であり先端が細くなってはいるが、植毛体１５を装着位置に置くことによりブラシ付き隙間ノズルとして用いることができ、細かな清掃作業に適したノズルが得られる。また、植毛体１５を非装着位置とすることにより、付属吸込み具１は通常の隙間ノズルとして用いることができる。
【００２８】
上記のように構成された電気掃除機用付属吸込み具１は、吸引系の吸込み端部に嵌着されるアダプタ２と、当該アダプタ２に連結部４を介して取り付けられた吸込体３とから構成されているため、付属吸込み具１の吸引系への取付けはアダプタ２が担い、吸込体３の吸込み口内に嵌入される装着状態と吸込み口から外れた収納状態との間での切替えはアダプタ２と吸込体３との間に配設される連結部４が担っている。このように両機能が構造として互いに分離されているので、付属吸込み具１の吸込み端部への装着とその取外しは、単にアダプタ２の吸込み端部への嵌着又はその嵌着の取り外しをすることで簡単に行うことができ、利便性が向上する。異なる付属吸込み具と取り替える場合も同様に行うことができる。しかも、吸込体３の吸込み口内への装着状態と吸込み口から外れた収納状態との間での切替えは、アダプタ２が吸込み端部へ嵌着されている状態で、連結部４の作動によって行うことができるので、通常の吸引系を用いた清掃作業と、付属吸込み具１を用いた清掃作業との切り替えが極めて容易である。
【００２９】
ピン１０の行程は、ガイド通路１２によって余裕をもって定められている。一方、吸込体３の基端部６には外側において周方向に部分的に延びるリブ２０，２０が一体的に形成されている。リブ２０，２０は、アダプタ２の先端側端縁２１に当接することにより、吸込体３のそれ以上の吸込み口への嵌入が規制されている。したがって、リブ２０，２０は、吸込体３の吸込み口への押込み過ぎを防止するストッパ作用を備えている。
【００３０】
図４には、電気掃除機用付属吸込み具１を操作部に適用した状態を示す斜視図が示されている。（ａ）は付属吸込み具１が操作部の吸込み端部への取付状態にあるところを示しており、（ｂ）は付属吸込み具１が収納状態にあるところを示している。付属吸込み具１は、電気掃除機の吸込みホース２５に取り付けられた操作部３０の先端部分に形成されている操作部吸込み端部３５に適用されている。操作部３０は、吸込みホース２５と接続される操作部本体３１と、操作部本体３１から延びる取っ手３２と、取っ手３２に設けられた操作パネル３３とを備えており、操作部本体３１の先端側は操作部吸込み端部３５となっており、操作部吸込み端部３５には延長管の接続時に用いる押しボタン３７が設けられている。付属吸込み具１のアダプタ２には、押しボタン３７へのアクセスを許容するボタン孔５が開口している。付属吸込み具１は操作部３０の操作部吸込み端部３５を吸込み端部として適用されており、この適用においては、アダプタ２が操作部吸込み端部３５の外周部に嵌着され、吸込体３の基端部６が操作部吸込み端部３５の内側に形成される操作部吸込み口３６内に嵌入される。付属吸込み具１は、ユーザが操作する操作部３０の近くに適用されるので、細かな清掃作業を行うことができる。付属吸込み具１は、収納状態では操作部３０の取っ手３３とは反対側で且つ操作部３０に沿って収納されるので、邪魔になることがなく清掃作業への影響を極力少なくすることができる。
【００３１】
図５には、電気掃除機用付属吸込み具１を延長管に適用した状態を示す斜視図が示されている。（ａ）は付属吸込み具１が延長管の吸込み端部への取付状態にあるところを示しており、（ｂ）は付属吸込み具１が収納状態にあるところを示している。付属吸込み具１は、電気掃除機の吸込みホースや操作部（図４の符号３０を参照）に取り付け可能な延長管４０の先端部分に形成されている延長管吸込み端部４５に適用されている。延長管４０は、外管４１、外管４１の内側に収容されていて外管４１から進出・後退可能であって、延長管を伸縮させる内管４２、及び外管４１と内管４２とを相互にロックとその解除を行うロック機構（図示せず）とを備えている。延長管４０では、ロック機構から離れた位置にあるロック操作部４３で、図示しない連結具を介してロック機構の操作を行うことができる。外管４１の端部４４は、例えば、図４に示す操作部吸込み端部３５に接続可能である。電気掃除機用付属吸込み具１は、延長管４０の先端部分に形成されている延長管吸込み端部４５に適用されている。この適用においては、付属吸込み具１のアダプタ２が延長管４０の延長管吸込み端部４５の外周部に嵌着され、吸込体３の基端部６が延長管吸込み端部４５の内側に形成される延長管吸込み口４６内に嵌入される。付属吸込み具１は、電気掃除機の操作部３０に取り付け可能な延長管４０の更に先端部分に適用されるので、ユーザから見て高所、或いは狭い隙間を通しての奥所等、手の届き難い場所の清掃作業を行うことができる。付属吸込み具１は、収納状態では延長管４０の内管４２の先端部の裏側で且つ当該先端部に沿って、邪魔になることがなく収納されるので清掃作業への影響は少ない。
【００３２】
吸込体３は、植毛体１５を持つ隙間ノズルに代えて、吸込み先端に形成される吸込み開口の周りに環状に植毛が施されているソフトブラシとすることができる。清掃する場所が紙や布等の非常に柔らかで、破損の虞等がある場合には、吸込み開口の周りに植毛が施されているソフトブラシを用いることが有効である。
【図面の簡単な説明】
【００３３】
【図１】この発明による電気掃除機用付属吸込み具の一実施例を示す図であって、（ａ）はその側面図、（ｂ）はその斜視図である。
【図２】図１に示す電気掃除機用付属吸込み具の植毛体の非使用状態を示す図であって、（ａ）は側面図、（ｂ）はその斜視図である。
【図３】図１に示す電気掃除機用付属吸込み具の吸込み体の収納状態を示す図であり、（ａ）は側面図、（ｂ）はその斜視図である。
【図４】図１に示す電気掃除機用付属吸込み具を操作部に適用した状態を示す図であって、（ａ）は取付状態を示す斜視図、（ｂ）は収納状態を示す斜視図である。
【図５】図１に示す電気掃除機用付属吸込み具を延長管に適用した状態を示す図であって、（ａ）は取付状態を示す斜視図、（ｂ）は収納状態を示す斜視図である。
【符号の説明】
【００３４】
１  電気掃除機用付属吸込み具
２  アダプタ              ３  吸込体
４  連結部                ５  ボタン孔
６  基端部                ７  細筒部
８  吸込み先端部          ９  吸込み開口
１０  ピン                １１  ガイド部
１２  ガイド通路
１３  拡大部分            １４  突起
１５  植毛体              １６  回動本体
１７  Ｕ字枠体            １８  軸
１９  植毛
２０  リブ                ２１  先端側端縁
２５０  吸込みホース
３０  操作部              ３１  操作部本体
３２  取っ手              ３３  操作パネル
３５  操作部吸込み端部    ３６  操作部吸込み口
３７  押しボタン
４０  延長管              ４１  外管
４２  内管                ４３  ロック操作部
４４  端部
４５  延長管吸込み端部    ４６  延長管吸込み口
【図１】
2006167342.tif 000003
【図２】
2006167342.tif 000004
【図３】
2006167342.tif 000005
【図４】
2006167342.tif 000006
【図５】
2006167342.tif 000007